(57)【特許請求の範囲】
【請求項１】
バルブ撮影により露光時間を調節する長時間露光を行なうことができる電子スチルカメラであって、前記電子スチルカメラが使用される環境温度を検出する手段と、前記温度に応じて、前記長時間露光における最大露光時間を求めるとともに、前記最大露光時間に対応した報知信号を前記最大露光時間が経過したときまでに出力する報知手段とを備えたことを特徴とする電子スチルカメラの露光制御装置。
【請求項２】
前記報知手段は、前記長時間露光中に最大露光時間が経過したとき、前記報知信号を出力することを特徴とする請求項１に記載の露光制御装置。
【請求項３】
前記報知手段は、最大露光時間が経過する前に、最大露光時間が接近していることを示す予備報知信号を出力することを特徴とする請求項１に記載の露光制御装置。
【請求項４】
前記長時間露光中に最大露光時間に達したときに露光動作を強制的に停止する露光停止手段を備えたことを特徴とする請求項１に記載の露光制御装置。
【請求項５】
前記環境温度検出手段が、撮像素子の温度を検出する温度センサであることを特徴とする請求項１に記載の露光制御装置。
【請求項６】
前記最大露光時間制御手段が、前記環境温度が高くなるに従い最大露光時間を短くすることを特徴とする請求項１に記載の露光制御装置。
【請求項７】
前記環境温度をＴ℃、０℃のときの前記最大露光時間をｔ0、また７≦Ｔｈ≦１１としたとき、Ｔ℃のときの前記最大露光時間が、
ｔmax ＝ｔ0 ×（１／２）T/Th
であることを特徴とする請求項６に記載の露光制御装置。
【発明の詳細な説明】
【０００１】
【発明の属する技術分野】
本発明は、電子スチルカメラにおいて露光時間の最大値を制限する装置に関する。
【０００２】
【従来の技術】
従来電子スチルカメラとして、バルブ撮影等のように、例えば１０数秒の長時間露光を実行可能なものが知られている。電子スチルカメラにはＣＣＤ等の撮像素子が設けられ、撮像素子には、受光面に結像した被写体像に応じた電荷が蓄積される。電荷の蓄積量は絞りの開度とシャッタ時間すなわち露光時間とを調整することによって制御される。
【０００３】
【発明が解決しようとする課題】
撮像素子において、温度が高くなるとフォトダイオードに生じる暗電流の値が大きくなり、露光時間が長くなるほど暗電流の影響が顕著になって、撮影画像に生じるノイズ成分が多くなる。すなわち、例えば長時間の露光が行なわれる撮影では、暗電流の影響が大きく、撮影画像の画質が低下し易い。
【０００４】
本発明は、撮影動作において、暗電流の影響が撮影画像に生じる可能性を撮影者に報知することができる電子スチルカメラの露光制御装置を提供することを目的としている。
【０００５】
【課題を解決するための手段】
本発明に係る電子スチルカメラの露光制御装置は、電子スチルカメラが使用される環境温度を検出する手段と、その温度に応じて、長時間露光における最大露光時間を求めるとともに、最大露光時間に対応した報知信号を出力する報知手段とを備えたことを特徴としている。
【０００６】
好ましくは報知手段は、長時間露光中に最大露光時間が経過したとき、報知信号を出力する。また報知手段は、最大露光時間が経過する前に、最大露光時間が接近していることを示す予備報知信号を出力してもよい。
【０００７】
露光制御装置は、長時間露光中に最大露光時間に達したときに露光動作を強制的に停止する露光停止手段を備えていてもよい。
【０００８】
環境温度検出手段は例えば、撮像素子の温度を検出する温度センサである。
【０００９】
好ましくは最大露光時間制御手段は、環境温度が高くなるに従い最大露光時間を短くする。環境温度をＴ℃、０℃のときの最大露光時間をｔ0 、また７≦Ｔｈ≦１１としたとき、Ｔ℃のときの最大露光時間は例えば、
ｔmax ＝ｔ0 ×（１／２）T/Th
である。
【００１０】
【発明の実施の形態】
以下、本発明の実施形態を図面を参照して説明する。
図１は本発明の第１の実施形態である露光制御装置を備えた電子スチルカメラのブロック図である。
【００１１】
この電子スチルカメラは一眼レフカメラであり、交換レンズ１１はマウントピン１２、１３を介して、カメラ本体内に設けられた電気回路と電気的に接続される。交換レンズ１１のレンズ鏡筒内には前群レンズ１４と後群レンズ１５が設けられ、これらのレンズ１４、１５の間には絞り１６が配設されている。各レンズ１４、１５はレンズ制御回路１７の制御によって光軸方向に変位し、焦点調節が行なわれる。レンズ制御回路１７は、カメラ本体内に設けられたシステムコントローラ３１からマウントピン１２を介して送られてくる制御信号に従って動作する。絞り１６は、カメラ本体内に設けられた絞り駆動回路３２からマウントピン１３を介して送られてくる制御信号に従って動作し、絞り１６の開度が調節される。絞り駆動回路３２はシステムコントローラ３１によって制御される。
【００１２】
カメラ本体内において、レンズ１４、１５の光軸上には、クイックリターンミラー２１が設けられている。クイックリターンミラー２１は、図示された傾斜状態と上方へ回動した水平状態との間において回動自在である。クイックリターンミラー２１の上方にはピント板２２が設けられ、ピント板２２の上方にはペンタプリズム２３が設けられている。ペンタプリズム２３の後方にはファインダの接眼レンズ２４が配設されている。
【００１３】
クイックリターンミラー２１の後方には、シャッタ２５が設けられ、シャッタ２５の後方には赤外カットフィルタ２６と光学ローパスフィルタ２７が設けられている。光学ローパスフィルタ２７の後方にはＣＣＤ（撮像素子）３３が設けられている。すなわち、クイックリターンミラー２１、シャッタ２５、赤外カットフィルタ２６、光学ローパスフィルタ２７、ＣＣＤ３３は、レンズ１４、１５の光軸上に配置されている。なお、ＣＣＤ３３の近傍には、ＣＣＤ３３の温度を検出する温度センサ６０が設けられている。
【００１４】
クイックリターンミラー２１の回転動作はミラー駆動回路３４によって駆動され、シャッタ２５の開閉動作はシャッタ駆動回路３５によって駆動される。ミラー駆動回路３４とシャッタ駆動回路３５はシステムコントローラ３１によって制御される。
【００１５】
通常、ミラー２１は傾斜状態に定められており、交換レンズ１１から取込まれた光をペンタプリズム２３側に導く。このときシャッタ２５は閉じており、ＣＣＤ３３に向かう光路を閉塞している。これに対し撮影が行なわれる時、ミラー２１はミラー駆動回路３４の制御により上方に回動せしめられ、水平状態となる。このミラー２１の回動にともない、シャッタ２５はシャッタ駆動回路３５の制御により開口せしめられ、交換レンズ１１から取込まれた光はＣＣＤ３３の受光面に照射される。すなわち、受光面にはレンズ１４、１５によって得られた画像が形成され、ＣＣＤ３３では、画像に対応した撮像信号が生成される。
【００１６】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７によりＣＣＤ３３の動作が制御される。すなわちＣＣＤ３３から読み出された撮像信号は、Ａ／Ｄ変換器３８によってデジタル信号に変換され、画像信号処理回路３９において、所定の画像処理を施される。画像信号処理回路３９には、１つの画像に対応したデジタルの画像データを格納するために十分な容量を有するメモリ４０が接続されている。
【００１７】
また画像信号処理回路３９には、モニタインターフェース４１とカードインターフェース４２とＰＣインターフェース４３とが接続されている。これらのインターフェース４１、４２、４３はシステムコントローラ３１によって制御される。
【００１８】
モニタインターフェース４１には、液晶駆動回路４４を介して、バックライト４５と液晶表示素子（ＬＣＤ）４６が接続され、またビデオ出力駆動回路４９を介してビデオ出力端子５０が接続されている。メモリ４０から読み出された画像データに基づいて、液晶駆動回路４４が制御され、液晶表示素子４６によって画像が表示される。また画像データはビデオ出力駆動回路４９において所定のフォーマットに変換され、ビデオ出力端子５０を介して、外部のビデオ装置に出力される。カードインターフェース４２にはカードコネクタ４７が接続され、ＰＣインターフェース４３にはＰＣコネクタ４８が接続されている。カードコネクタ４７にはＩＣメモリカードが装着可能であり、ＰＣコネクタ４８にはパーソナルコンピュータが接続可能である。
【００１９】
システムコントローラ３１には、ＡＦセンサ５１と測光センサ５２が接続されている。ＡＦセンサ５１は従来公知の構成を有し、ＡＦセンサ５１によって、レンズ１４、１５の焦点調節状態が測定される。測光センサ５２によって、露光時の絞り１６の開度とＣＣＤ３３における電荷蓄積時間（露光時間）とを決定するための測光が行なわれる。
【００２０】
またシステムコントローラ３１には、操作スイッチ５４と状態表示装置５５と圧電ブザー５６とが接続されている。操作スイッチ５４は、測光スイッチとレリーズスイッチ等を備えている。測光スイッチは図示しないレリーズボタンを半押しすることによってオン状態となり、これにより、測光センサ５２によって測光が行なわれる。レリーズスイッチはレリーズボタンを全押しすることによってオン状態となり、これにより、シャッタ２５が開閉駆動される。すなわちＣＣＤ３３が露光され、ＣＣＤ３３には画像に対応した撮像信号が発生する。状態表示装置５５は液晶表示素子を有し、この液晶表示素子には電子スチルカメラの種々の設定状態が表示される。圧電ブザー５６は、種々の警告音を発生するために用いられる。
【００２１】
図２は温度センサ６０の取付け構造の一例を示している。
ＣＣＤ３３は基板６１に平行に配設され、ＣＣＤ３３の両側面から延びる端子６２は基板６１の表面に固着されている。温度センサ６０は、ＣＣＤ３３の受光面３３ａの反対側に位置する背面３３ｂ、すなわち基板６１に対向する面に貼付されている。基板６１の温度センサ６０に対向する部分には、ＣＣＤ３３の周囲に冷却用の空気を導くための開口６３が形成されている。
【００２２】
図３、図４および図５は、電子スチルカメラにおける撮影動作制御ルーチンを示すフローチャートである。
ステップ１０１では、測光スイッチがオン状態であるか否かが判定される。測光スイッチがオン状態に切換えられると、ステップ１０２が実行され、温度センサ６０によってＣＣＤ３３の温度Ｔ℃が測定される。ステップ１０３では、（１）式に従って、自動露出制御における温度Ｔ℃のときの最大露光時間ｔmax 、すなわち実行可能な最も長い露光時間が求められる。
ｔmax ＝ｔ0 ×（１／２）T/Th                                  （１）
ただし、ｔ0 は０℃のときの最大露光時間であり、また７≦Ｔｈ≦１１である。本実施形態ではＴｈ＝１０を採用しており、すなわち実際には、
ｔmax ＝ｔ0 ×（１／２）T/10                                  （1'）
が用いられる。
【００２３】
ステップ１０４では、最大露光時間ｔmax の値が状態表示装置５５によって表示される。ステップ１０５では、最大露光時間ｔmax が撮影動作においてマニュアル設定可能な最大露光時間としてシステムコントローラ３１内のメモリに格納される。ステップ１０６では露出演算が行なわれる。すなわち、測光センサ５２によって得られた測光値に基づいて、絞り１６の開度と露光時間が算出される。このとき、露光時間は最大露光時間ｔmax を越えない範囲で決定される。なお、露出演算については後に詳述する。
【００２４】
ステップ１０７では、レリーズスイッチがオン状態に定められているか否かが判定される。オン状態でないと判定されたとき、ステップ１０１へ戻るが、オン状態であると判定されたとき、ステップ１１１へ進む。ステップ１１１では、ミラー２１が水平状態へ上昇移動せしめられるとともに、絞り１６がステップ１０６において算出された開度に定められる。ステップ１１２では、ＣＣＤ３３における電荷の蓄積動作を可能にするため、ＣＣＤ３３に対する電気的な制御が開始される。ステップ１１３では、シャッタ２５が開放され、これによりＣＣＤ３３において電荷の蓄積が開始する。
【００２５】
ステップ１１４では、バルブモードが設定されているか否かが判定される。バルブモードが設定されているときステップ１２１へ進み、バルブモードが設定されていないときステップ１１５へ進む。ステップ１１５では、ステップ１０６において算出された露光時間が経過したか否かが判定される。露光時間が経過するとステップ１１５からステップ１１６へ進み、シャッタ２５が閉塞されるとともに、ミラー２１が傾斜状態まで回動せしめられる。
【００２６】
ステップ１１７では、ＣＣＤ３３に蓄積された電荷すなわち撮像信号の読み出しが開始される。ステップ１１８では、読み出された撮像信号に対して、画像信号処理回路３９において補間、色補正、ガンマ補正等の画像処理が施された後、撮影画像のデータがメモリ４０に格納されて、撮影動作制御ルーチンは終了する。
【００２７】
一方ステップ１２１では、レリーズスイッチがオフ状態に切換えられたか否かが判定される。レリーズスイッチがオフ状態に切換えられているとき、ステップ１１６へ進み、上述した処理が実行される。これに対し、レリーズスイッチがオン状態を維持しているとき、ステップ１２２以下が実行され、継続している露光時間の長さに応じてブザー音が出力される。
【００２８】
ステップ１２２では、ステップ１１３においてシャッタ２５が開放されてから最大露光時間ｔmax が経過したか否かが判定される。最大露光時間ｔmax が経過していないとき、ステップ１２３において、最大露光時間ｔmax の８０％の時間が経過したか否かが判定される。最大露光時間ｔmax の８０％の時間が経過していないとき、ステップ１２１へ戻り、経過しているとき、ステップ１２４が実行される。すなわち、例えば「ピーッピーッピーッ」という長周期のブザー音が圧電ブザー５６から出力され、ステップ１２１へ戻る。このブザー音はステップ１２１〜１２４が実行されている間、連続して出力される。
【００２９】
長周期のブザー音が出力されている間にレリーズスイッチがオフ状態に切換えられると、ステップ１２１からステップ１１６へ移る。これに対し、長周期のブザー音が出力されている間にステップ１２２において最大露光時間ｔmax が経過したと判定されると、ステップ１２５へ進み、例えば「ピッピッピッ」という短周期のブザー音が圧電ブザー５６から出力され、ステップ１１６へ移る。
【００３０】
このように、バルブ撮影において露光時間が最大露光時間ｔmax の８０％を過ぎると、ステップ１２４において、最大露光時間ｔmax が接近していることを示す予備報知信号（長周期のブザー音）が出力される。また最大露光時間ｔmax を過ぎると、ステップ１２５において、最大露光時間ｔmax が経過したことを示す報知信号（短周期のブザー音）が出力され、ステップ１１６、１１７、１１８において撮影動作の後処理が実行される。すなわち、露光動作は強制的に停止され、撮影画像のデータがメモリ４０に格納される。
【００３１】
次に、ステップ１０４において実行される露出演算ルーチンについて説明する。
ＣＣＤ３３では光が完全に遮断されていても暗電流が発生し、暗電流の大きさはＣＣＤ３３の温度に応じて変化する。ＣＣＤ３３の温度と暗電流の関係の一例を図６に示す。この図から理解されるように、温度Ｔ℃における暗電流の値をＩｄとし温度０℃における暗電流の値をＩｄ0とすると、暗電流の比Ｉｄ／Ｉｄ0は０℃以下では１よりも小さく、温度Ｔ℃が上昇するに従って急激に増加し、温度Ｔ℃が８〜１０℃上昇すると約２倍になる。
【００３２】
本実施形態では、最大露光時間ｔmaxは（1'）式によって決定され、温度と最大露光時間の比ｔmax／ｔ0との関係は図７に示すようになる。すなわち、温度が上昇するに従って、比ｔmax／ｔ0は急激に小さくなる。
【００３３】
図８および図９は露出演算ルーチンを示すフローチャートである。
ステップ２０１では、最大露光時間ｔmax がアペックス値Ｔｖmin に変換される。すなわち、アペックス値Ｔｖは露光時間が長いほど小さくなり、最大露光時間ｔmax はＴｖの最小値に対応する。なおアペックス値に変換するのは、最大露光時間ｔmax が実時間によって表されるのに対し、絞り値とシャッタスピード（露光時間）はアペックス値を用いて演算されるからである。同様にステップ２０２では、ＣＣＤ３３の感度レベル（すなわちビデオ信号のＡＧＣレベル）がアペックス値Ｓｖに変換される。
【００３４】
ステップ２０３では、測光センサ５２から得られたデータに基づいて、測光値Ｂｖが求められる。ステップ２０４では、（２）式に従ってＥｖ値が求められる。
Ｅｖ＝Ｂｖ＋Ｓｖ                                              （２）
ステップ２０５では、プログラム線図の傾き部分を示す（３）式に、ステップ２０４において求められたＥｖが代入され、Ｔｖが求められる。
Ｔｖ＝（３／８）×Ｅｖ＋３                                    （３）
【００３５】
ステップ２０６では、Ｔｖが予め設定されている最大値Ｔｖmax よりも大きいか否かが判定される。Ｔｖが最大値Ｔｖmax よりも大きいとき、ステップ２０７において最大値Ｔｖmax がＴｖとして置き換えられる。Ｔｖが最大値Ｔｖmax 以下であるときは、ステップ２０７はスキップされる。ステップ２０８では（４）式に従ってＡｖが求められる。
Ａｖ＝Ｅｖ−Ｔｖ                                              （４）
【００３６】
ステップ２１０では、Ａｖが予め設定されている最小値Ａｖmin よりも大きいか否かが判定される。Ａｖが最小値Ａｖmin よりも大きいとき、ステップ２１１へ進み、Ａｖが最小値Ａｖmin 以下であるとき、ステップ２２１へ進む。
【００３７】
ステップ２１１では、Ａｖが予め設定されている最大値Ａｖmax よりも大きいか否かが判定され、Ａｖが最大値Ａｖmax よりも大きいとき、ステップ２１２において最大値Ａｖmax がＡｖとして置き換えられる。これに対し、Ａｖが最大値Ａｖmax 以下であるとき、ステップ２１２はスキップされる。ステップ２１３では、（５）式に従ってＴｖが求められる。
Ｔｖ＝Ｅｖ−Ａｖ                                              （５）
【００３８】
ステップ２１４では、Ｔｖが最大値Ｔｖmax よりも大きいか否かが判定される。Ｔｖが最大値Ｔｖmax よりも大きいとき、ステップ２１５において最大値Ｔｖmax がＴｖとして置き換えられる。そしてステップ２１６において、状態表示装置５５（図１）によって、Ｔｖが最大値Ｔｖmax によって制限されたことを示すべく、所定のマークが点滅表示されてこのルーチンは終了する。すなわち、この場合、露光時間は最大値Ｔｖmax に対応した最小値（最高速シャッタスピード）に制限される。一方、ステップ２１４においてＴｖがＴｖmax 以下であると判定されたとき、ステップ２１５、２１６を実行することなく、このルーチンは終了する。
【００３９】
ステップ２２１では、最小値Ａｖmin がＡｖとして置き換えられる。ステップ２２２では（５）式に従ってＴｖが求められる。ステップ２２３では、Ｔｖが最小値Ｔｖmin よりも小さいか否かが判定される。Ｔｖが最小値Ｔｖmin よりも小さいとき、すなわちＴｖに対応する露光時間が最大露光時間ｔmax よりも長いとき、ステップ２２４において最小値Ｔｖmin がＴｖとして置き換えられる。すなわち最大露光時間ｔmax が露光時間として設定される。ステップ２２５では、状態表示装置５５によって、Ｔｖが最小値Ｔｖmin によって制限されたことを示すべく、所定のマークが点滅表示され、このルーチンは終了する。これに対し、ステップ２２３においてＴｖがＴｖmax 以上であると判定されたとき、ステップ２２４、２２５を実行することなく、このルーチンは終了する。
【００４０】
以上のように第１の実施形態では、ＣＣＤ３３の温度が高くなるに従い、バルブ撮影における最大露光時間が（1'）式に従って短くなるように制御される。すなわちＣＣＤ３３のフォトダイオードに生じる暗電流の値が大きくなると、最大露光時間が短くなるように制限される。またバルブ撮影において、最大露光時間が接近しているときには、撮影者にその旨を報知し、また最大露光時間が経過したときには、その旨を報知するとともに撮影動作を強制的に終了する。したがって、撮影画像にノイズ成分が増加して画質が低下することを防止しつつ、ＣＣＤ３３の温度に応じた最大の露光時間を確保することができる。
【００４１】
図１０は第２の実施形態における撮影動作制御ルーチンのフローチャートの要部を示し、これは第１の実施形態において図５のフローチャートに対応する。すなわち、ステップ１３１は図４のステップ１１４においてバルブモードが設定されていると判定されたとき実行され、またステップ１３１においてレリーズスイッチがオフ状態であると判定されたとき図４のステップ１１６へ進む。その他の構成は第１の実施形態と同じである。
【００４２】
ステップ１３１では、レリーズスイッチがオフ状態に切換えられたか否かが判定される。レリーズスイッチがオフ状態に切換えられているとき、ステップ１１６（図４参照）へ進み、レリーズスイッチがオン状態を維持しているとき、ステップ１３１が実行される。ステップ１３１では、ステップ１１３（図３参照）においてシャッタ２５が開放されてから最大露光時間ｔmax が経過したか否かが判定される。最大露光時間ｔmax が経過していないとき、ステップ１３１へ戻り、最大露光時間ｔmax が経過しているとき、ステップ１３３においてブザー音が圧電ブザー５６から出力される。次いでステップ１３４では、最大露光時間ｔmax を越えて撮影動作が実行されることを示す警告メッセージ（報知信号）が状態表示装置５５によって点滅表示される。
【００４３】
その後、ステップ１３１においてレリーズスイッチがオフ状態に切換えられたことが検出されると、ステップ１１６へ進み、撮影動作の後処理が実行されて撮影画像のデータがメモリ４０に格納される。
【００４４】
したがって、第２の実施形態によっても第１の実施形態と同様な効果が得られる。さらに、第２の実施形態では、最大露光時間ｔmax を越えてバルブ撮影を実行することが可能であり、また、そのような場合には警告メッセージが表示されるので、撮影者は必要に応じて撮影動作を停止することができる。
【００４５】
図１１は第３の実施形態における撮影動作制御ルーチンのフローチャートの要部を示し、図１０のフローチャートと同様に、図５のフローチャートに対応している。その他の構成は第１の実施形態と同様である。
【００４６】
ステップ１４１では、レリーズスイッチがオフ状態に切換えられたか否かが判定される。レリーズスイッチがオフ状態に切換えられているとき、ステップ１１６（図４参照）へ進み、レリーズスイッチがオン状態を維持しているとき、ステップ１４２が実行される。ステップ１４２では、ステップ１１３（図３参照）においてシャッタ２５が開放されてから最大露光時間ｔmax が経過したか否かが判定される。最大露光時間ｔmax が経過していないとき、ステップ１４１へ戻り、最大露光時間ｔmax が経過しているとき、ステップ１１６へ進み、バルブ撮影動作は強制的に終了せしめられる。
【００４７】
したがって、第３の実施形態によっても第１の実施形態と同様な効果が得られる。また第３の実施形態によれば、警告メッセージは出力されず、また予備報知信号が出力されないので、制御が単純になる。
【００４８】
図１２は第４の実施形態における撮影動作制御ルーチンのフローチャートの要部を示し、図１０および図１１のフローチャートと同様に、図５のフローチャートに対応している。その他の構成は第１の実施形態と同様である。
【００４９】
ステップ１５１では、レリーズスイッチがオフ状態に切換えられたか否かが判定される。レリーズスイッチがオフ状態に切換えられているとき、ステップ１１６（図４参照）へ進み、レリーズスイッチがオン状態を維持しているとき、ステップ１５２が実行される。ステップ１５２では、ステップ１１３（図３参照）においてシャッタ２５が開放されてから最大露光時間ｔmax が経過したか否かが判定される。最大露光時間ｔmax が経過していないとき、ステップ１５３において、最大露光時間ｔmax の８０％の時間が経過したか否かが判定される。最大露光時間ｔmax の８０％の時間が経過していないとき、ステップ１５１へ戻り、経過しているとき、ステップ１５４が実行される。すなわち、例えば「ピーッピーッピーッ」という長周期のブザー音が圧電ブザー５６から出力され、ステップ１５１へ戻る。このブザー音はステップ１５１〜１５４が実行されている間、連続して出力される。
【００５０】
長周期のブザー音が出力されている間にレリーズスイッチがオフ状態に切換えられると、ステップ１５１からステップ１１６へ移る。これに対し、長周期のブザー音が出力されている間にステップ１５２において最大露光時間ｔmax が経過したと判定されると、ステップ１５５へ進み、例えば「ピッピッピッ」という短周期のブザー音が圧電ブザー５６から出力される。ステップ１５６では、最大露光時間ｔmax を越えて撮影動作が実行されることを示す警告メッセージ（報知信号）が状態表示装置５５によって点滅表示され、ステップ１５１へ戻る。
【００５１】
したがって、第４の実施形態によっても第１の実施形態と同様な効果が得られる。さらに、第４の実施形態では、最大露光時間ｔmax を越えてバルブ撮影を実行することが可能であり、また、そのような場合には警告メッセージが表示されるので、撮影者は必要に応じて撮影動作を停止することができる。
【００５２】
図１３は第５の実施形態における撮影動作制御ルーチンのフローチャートの要部を示し、図１０、図１１および図１２のフローチャートと同様に、図５のフローチャートに対応している。その他の構成は第１の実施形態と同様である。
【００５３】
ステップ１６１では、レリーズスイッチがオフ状態に切換えられたか否かが判定される。レリーズスイッチがオフ状態に切換えられているとき、ステップ１１６（図４参照）へ進み、レリーズスイッチがオン状態を維持しているとき、ステップ１６２が実行される。ステップ１６２では、ステップ１１３（図３参照）においてシャッタ２５が開放されてから最大露光時間ｔmax が経過したか否かが判定される。最大露光時間ｔmax が経過していないとき、ステップ１６３において、最大露光時間ｔmax の８０％の時間が経過したか否かが判定される。最大露光時間ｔmax の８０％の時間が経過していないとき、ステップ１６１へ戻り、経過しているとき、ステップ１６４が実行され、ブザー音が圧電ブザー５６から出力され、ステップ１６１へ戻る。このブザー音はステップ１６１〜１６４が実行されている間、連続して出力される。
【００５４】
ブザー音が出力されている間にレリーズスイッチがオフ状態に切換えられると、ステップ１６１からステップ１１６へ移る。また、ブザー音が出力されている間にステップ１６２において最大露光時間ｔmax が経過したと判定されたときにも、ステップ１１６へ移る。
【００５５】
したがって、第５の実施形態によっても第１の実施形態と同様な効果が得られる。さらに、第５の実施形態では、最大露光時間ｔmax が経過したときにはブザー音を発生させることなくバルブ撮影を強制的に終了させるので、第１の実施形態よりも制御が単純になる。
【００５６】
なお、最大露光時間は（1'）式に従って計算される必要はなく、例えば、温度と最大露光時間の関係をテーブル形式でメモリ４０に格納しておき、温度に対応したアドレスを参照して最大露光時間を読み出すように構成してもよい。
【００５７】
【発明の効果】
以上のように本発明によれば、撮影動作において、暗電流の影響が撮影画像に生じる可能性を撮影者に報知することができ、これにより、撮影画像の画質の低下を防止することが可能となる。
【図面の簡単な説明】
【図１】本発明の一実施形態である露光制御装置を備えた電子スチルカメラのブロック図である。
【図２】温度センサの撮像素子の対する取付け構造の一例を示す断面図である。
【図３】撮影動作制御ルーチンを示すフローチャートの前半部分である。
【図４】撮影動作制御ルーチンを示すフローチャートの後半部分である。
【図５】撮影動作制御ルーチンの最大露光時間に関する処理の部分を示すフローチャートである。
【図６】温度と暗電流の関係の一例を示す図である。
【図７】温度と最大露光時間の関係の一例を示す図である。
【図８】露出演算ルーチンを示すフローチャートの前半部分である。
【図９】露出演算ルーチンを示すフローチャートの後半部分である。
【図１０】第２の実施形態における撮影動作制御ルーチンのフローチャートの要部を示す図である。
【図１１】第３の実施形態における撮影動作制御ルーチンのフローチャートの要部を示す図である。
【図１２】第４の実施形態における撮影動作制御ルーチンのフローチャートの要部を示す図である。
【図１３】第５の実施形態における撮影動作制御ルーチンのフローチャートの要部を示す図である。
【符号の説明】
３３  ＣＣＤ（撮像素子）
６０  温度センサ
【図１】
0004347958.tif 000002
【図２】
0004347958.tif 000003
【図３】
0004347958.tif 000004
【図４】
0004347958.tif 000005
【図５】
0004347958.tif 000006
【図６】
0004347958.tif 000007
【図７】
0004347958.tif 000008
【図８】
0004347958.tif 000009
【図９】
0004347958.tif 000010
【図１０】
0004347958.tif 000011
【図１１】
0004347958.tif 000012
【図１２】
0004347958.tif 000013
【図１３】
0004347958.tif 000014